(57)【要約】【課題】よりシンプルなシステム構成で、複数の表示パネルをそれぞれ表示させる。【解決手段】携帯電話機１１は、メインパネル１６とサブパネル２４のうちいずれかを指定するための切替信号ＣＳと、切替信号ＣＳにより選択されるパネルに供給するシリアル・データＳＤとを生成する信号生成部を備える。そして、携帯電話機１１は、メインパネル１６とサブパネル２４のうち、切替信号ＣＳにより選択されたパネル１６，２４を駆動する表示コントローラ１５，２３にシリアル・データＳＤを選択的に供給するセレクタ１４を備える。【選択図】      図１
2004325747.tif 000002
【特許請求の範囲】
【請求項１】
複数の電気光学パネルを駆動する電気光学パネル用駆動装置であって、
前記複数の電気光学パネルのうちいずれかを指定するためのパネルアドレス信号と、前記複数の電気光学パネルのうち前記パネルアドレス信号により指定された電気光学パネルに供給するデータ信号とを生成する信号生成部と、
前記複数の電気光学パネルのうち前記パネルアドレス信号により指定された電気光学パネルを駆動する駆動制御部に前記データ信号を選択的に供給する信号転送制御部と
を備えたことを特徴とする電気光学パネル用駆動装置。
【請求項２】
複数の電気光学パネルを駆動する電気光学パネル用駆動装置であって、
前記複数の電気光学パネルのうちいずれかを指定するためのパネルアドレス信号と、前記複数の電気光学パネルに供給するデータ信号とを生成する信号生成部と、
前記複数の電気光学パネルの各々を駆動する複数の駆動制御部と
を備え、
前記複数の駆動制御部の各々は、前記データ信号を受け取る前に前記パネルアドレス信号を受け取り、
前記パネルアドレス信号により指定された電気光学パネルを駆動する駆動制御部のみが、前記データ信号を当該電気光学パネルに供給すること
を特徴とする電気光学パネル用駆動装置。
【請求項３】
請求項１又は２に記載の電気光学パネル用駆動装置において、
前記複数の駆動制御部に供給する前記データ信号のプロトコルは全て同じであることを特徴とする電気光学パネル用駆動装置。
【請求項４】
請求項１〜３のいずれか１つに記載の電気光学パネル用駆動装置において、
前記電気光学パネルは有機ＥＬ表示パネルであることを特徴とする電気光学パネル用駆動装置。
【請求項５】
電気光学パネルを備えた電気光学装置であって、
前記電気光学装置に少なくとも１つの外付の電気光学パネルを電気的に接続するための接続部と、
前記電気光学パネル及び前記少なくとも１つの外付の電気光学パネルのうちいずれかを指定するパネルアドレス信号と、前記電気光学装置に備えられた電気光学パネル及び前記少なくとも１つの外付の電気光学パネルのうち、前記パネルアドレス信号により指定された電気光学パネルに供給するデータ信号とを生成する信号生成部と、
前記電気光学装置に備えられた電気光学パネル及び前記少なくとも１つの外付の電気光学パネルのうち、前記パネルアドレス信号により指定された電気光学光学パネルを駆動する駆動制御部に前記データ信号を選択的に供給する信号転送制御部と
を備えたことを特徴とする電気光学装置。
【請求項６】
電気光学パネルを備えた電気光学装置であって、
前記電気光学装置に少なくとも１つの外付の電気光学パネルを電気的に接続するための接続部と、
前記電気光学パネル及び前記少なくとも１つの外付の電気光学パネルのうちいずれかを指定するパネルアドレス信号と、前記電気光学装置に備えられた電気光学パネル及び前記少なくとも１つの外付の電気光学パネルのうち、前記パネルアドレス信号により指定された電気光学パネルに供給するデータ信号とを生成する信号生成部と
前記電気光学装置に備えられた電気光学パネル及び前記少なくとも１つの外付の電気光学パネルの各々を駆動する複数の駆動制御部と
を備え、
前記複数の駆動制御部の各々は、前記データ信号を受け取る前に前記パネルアドレス信号を受け取り、
前記パネルアドレス信号により指定された電気光学パネルを駆動する駆動制御部のみが、前記データ信号を当該電気光学パネルに供給すること
を特徴とする電気光学装置。
【請求項７】
請求項５又は６に記載の電気光学装置において、
前記複数の駆動制御部に供給する前記データ信号のプロトコルは全て同じであることを特徴とする電気光学装置。
【請求項８】
請求項５〜７のいずれか１つに記載の電気光学装置において、
前記電気光学パネルは有機ＥＬ表示パネルであることを特徴とする電気光学装置。
【請求項９】
複数の電気光学パネルを駆動するための電気光学パネル用駆動装置の駆動方法であって、
前記複数の電気光学パネルのうちいずれかを指定するためのパネルアドレス信号を信号転送制御部に供給するステップと、
前記パネルアドレス信号を前記信号転送制御部に供給した後、前記パネルアドレス信号により指定された電気光学パネルを制御する駆動制御部に前記信号転送制御部を介してデータ信号を供給するステップと
を含むことを特徴とする電気光学パネル用駆動装置の駆動方法。
【請求項１０】
複数の電気光学パネルを駆動するための電気光学パネル用駆動装置の駆動方法であって、
前記複数の電気光学パネルのうちいずれかを指定するためのパネルアドレス信号を、各々が前記複数の電気光学パネルの各々を制御する複数の駆動制御部に供給するステップと、
前記複数の駆動制御部のうち、前記パネルアドレス信号により指定された電気光学パネルに対応する駆動制御部に、データ信号を供給するステップと
を含むことを特徴とする電気光学パネル用駆動装置の駆動方法。
【請求項１１】
請求項９又は１０に記載の電気光学パネル用駆動装置の駆動方法において、
前記複数の駆動制御部に供給する前記データ信号のプロトコルは全て同じであることを特徴とする電気光学パネル用駆動装置の駆動方法。
【請求項１２】
請求項９〜１１のいずれか１つに記載の電気光学パネル用駆動装置の駆動方法において、
前記電気光学パネルは有機ＥＬ表示パネルであることを特徴とする電気光学パネル用駆動装置の駆動方法。
【請求項１３】
電気光学装置に備えられた電気光学パネル、及び、前記電気光学装置に電気的に接続された少なくとも１つの外付の電気光学パネルを駆動するための電気光学装置の駆動方法であって、
前記電気光学装置が備えた電気光学パネル及び前記少なくとも１つの外付の電気光学パネルのうちいずれかを指定するためのパネルアドレス信号を信号転送制御部に供給するステップと、
前記パネルアドレス信号を前記信号転送制御部に供給した後、前記パネルアドレス信号により指定された電気光学パネルを制御する駆動制御部に前記信号転送制御部を介してデータ信号を供給するステップと
を含むことを特徴とする電気光学装置の駆動方法。
【請求項１４】
電気光学装置に備えられた電気光学パネル、及び、前記電気光学装置に電気的に接続された少なくとも１つの外付の電気光学パネルを駆動するための電気光学装置の駆動方法であって、
前記電気光学装置が備えた電気光学パネル及び前記少なくとも１つの外付の電気光学パネルのうちいずれかを指定するためのパネルアドレス信号を、各々が前記各電気光学パネルを制御する各駆動制御部に供給するステップと、
前記各駆動制御部のうち、前記パネルアドレス信号により指定された電気光学パネルに対応する駆動制御部に、データ信号を供給するステップと
を含むことを特徴とする電気光学装置の駆動方法。
【請求項１５】
請求項１３又は１４に記載の電気光学装置の駆動方法において、
前記各駆動制御部に供給する前記データ信号のプロトコルは全て同じであることを特徴とする電気光学装置の駆動方法。
【請求項１６】
請求項１３〜１５のいずれか１つに記載の電気光学装置の駆動方法において、
前記電気光学パネルは有機ＥＬ表示パネルであることを特徴とする電気光学装置の駆動方法。
【請求項１７】
請求項１〜４のいずれか１つに記載の電気光学パネル用駆動装置を実装したことを特徴とする電子機器。
【請求項１８】
請求項５〜８のいずれか１つに記載の電気光学装置を実装したことを特徴とする電子機器。
【発明の詳細な説明】
【０００１】
【発明の属する技術分野】
本発明は、複数の電気光学パネルを駆動する電気光学パネル用駆動装置、電気光学装置、及び、電気光学装置の駆動方法に関する。
【０００２】
【従来の技術】
従来、インターネットに接続し画像を表示する機能を有する携帯電話機が一般に使用されている。携帯電話機における画像表示においては、表示パネルの画面サイズが小さいため、解像度を２００ｐｐｉ程度にまで上げることにより、鮮明な画像を表示できるように対応している。しかし、携帯電話機の表示パネルは画面サイズが小さいため、たとえ解像度を上げたとしても、視覚特性上限界がある。このため、画面サイズの大きいサブパネルを用いることが考えられる。一方、サブパネルを備えた情報装置が開示されている（例えば、特許文献１参照。）。
【０００３】
【特許文献１】
特開平９−９２８３２号公報（第５−１４頁）
【０００４】
【発明が解決しようとする課題】
しかし、従来の携帯電話機は、その携帯電話機の表示パネルのドライバの入力インターフェースであるパラレル・データを、その携帯電話機の画像データ転送用コントローラが出力している。このため、従来の携帯電話機にサブパネルで表示させるための機能を付加したとすると、サブパネルのインターフェースに対応するために、携帯電話機の表示パネル用とは別に、新たな画像データ転送用コントローラを設ける必要がある。しかし、このように、複数の画像データ転送用コントローラを設けたのでは、システム構成が複雑となり、好ましくない。
【０００５】
本発明は、上記問題点を解決するためになされたものであり、その目的は、よりシンプルなシステム構成で、複数の表示パネルをそれぞれ表示させることができる電気光学パネル用駆動装置、電気光学装置、電気光学パネル用駆動装置の駆動方法、電気光学装置の駆動方法及び電子機器を提供することにある。
【０００６】
【課題を解決するための手段】
本発明における電気光学パネル用駆動装置は、複数の電気光学パネルを駆動する電気光学パネル用駆動装置であって、前記複数の電気光学パネルのうちいずれかを指定するためのパネルアドレス信号と、前記複数の電気光学パネルのうち前記パネルアドレス信号により指定された電気光学パネルに供給するデータ信号とを生成する信号生成部と、前記複数の電気光学パネルのうち前記パネルアドレス信号により指定された電気光学パネルを駆動する駆動制御部に前記データ信号を選択的に供給する信号転送制御部とを備えた。
【０００７】
これによれば、電気光学パネル用駆動装置は、パネルアドレス信号により指定された電気光学パネルを駆動する駆動制御部にデータ信号を選択的に供給できる。従って、よりシンプルなシステム構成で、複数の電気光学パネルをそれぞれ駆動できる。
【０００８】
本発明における電気光学パネル用駆動装置は、複数の電気光学パネルを駆動する電気光学パネル用駆動装置であって、前記複数の電気光学パネルのうちいずれかを指定するためのパネルアドレス信号と、前記複数の電気光学パネルに供給するデータ信号とを生成する信号生成部と、前記複数の電気光学パネルの各々を駆動する複数の駆動制御部とを備え、前記複数の駆動制御部の各々は、前記データ信号を受け取る前に前記パネルアドレス信号を受け取り、前記パネルアドレス信号により指定された電気光学パネルを駆動する駆動制御部のみが、前記データ信号を当該電気光学パネルに供給する。
【０００９】
これによれば、電気光学パネル用駆動装置は、複数の駆動制御部の各々がデータ信号を受け取る前に受け取るパネルアドレス信号により指定された電気光学パネルを選択的に駆動できる。従って、よりシンプルなシステム構成で、複数の電気光学パネルをそれぞれ駆動できる。
【００１０】
この電気光学パネル用駆動装置において、前記複数の駆動制御部に供給する前記データ信号のプロトコルは全て同じである。
これによれば、さらにシンプルなシステム構成とすることができる。
【００１１】
この電気光学パネル用駆動装置において、前記電気光学パネルは有機ＥＬ表示パネルである。
これによれば、電気光学パネルは広視野角、高コントラストの優れた画像を表示することができる。
【００１２】
本発明における電気光学装置は、電気光学パネルを備えた電気光学装置であって、前記電気光学装置に少なくとも１つの外付の電気光学パネルを電気的に接続するための接続部と、前記電気光学パネル及び前記少なくとも１つの外付の電気光学パネルのうちいずれかを指定するパネルアドレス信号と、前記電気光学装置に備えられた電気光学パネル及び前記少なくとも１つの外付の電気光学パネルのうち、前記パネルアドレス信号により指定された電気光学パネルに供給するデータ信号とを生成する信号生成部と、前記電気光学装置に備えられた電気光学パネル及び前記少なくとも１つの外付の電気光学パネルのうち、前記パネルアドレス信号により指定された電気光学光学パネルを駆動する駆動制御部に前記データ信号を選択的に供給する信号転送制御部とを備えた。
【００１３】
これによれば、電気光学装置は、電気光学装置に備えられた電気光学パネル及び少なくとも１つの外付の電気光学パネルを各々駆動する駆動制御部のうち、パネルアドレス信号により指定された電気光学パネルを駆動する駆動制御部にデータ信号を選択的に供給できる。従って、よりシンプルなシステム構成で、電気光学装置に備えられた電気光学パネル及び少なくとも１つの外付の電気光学パネルをそれぞれ駆動できる。
【００１４】
本発明における電気光学装置は、電気光学パネルを備えた電気光学装置であって、前記電気光学装置に少なくとも１つの外付の電気光学パネルを電気的に接続するための接続部と、前記電気光学パネル及び前記少なくとも１つの外付の電気光学パネルのうちいずれかを指定するパネルアドレス信号と、前記電気光学装置に備えられた電気光学パネル及び前記少なくとも１つの外付の電気光学パネルのうち、前記パネルアドレス信号により指定された電気光学パネルに供給するデータ信号とを生成する信号生成部と前記電気光学装置に備えられた電気光学パネル及び前記少なくとも１つの外付の電気光学パネルの各々を駆動する複数の駆動制御部とを備え、前記複数の駆動制御部の各々は、前記データ信号を受け取る前に前記パネルアドレス信号を受け取り、前記パネルアドレス信号により指定された電気光学パネルを駆動する駆動制御部のみが、前記データ信号を当該電気光学パネルに供給する。
【００１５】
これによれば、電気光学装置は、電気光学装置に備えられた電気光学パネル及び少なくとも１つの外付の電気光学パネルのうち、各電気光学パネルについての駆動制御部がデータ信号を受け取る前に受け取るパネルアドレス信号により指定された電気光学パネルを選択的に駆動できる。従って、よりシンプルなシステム構成で、電気光学装置に備えられた電気光学パネル及び少なくとも１つの外付の電気光学パネルをそれぞれ駆動できる。
【００１６】
この電気光学装置において、前記複数の駆動制御部に供給する前記データ信号のプロトコルは全て同じである。
これによれば、さらにシンプルなシステム構成とすることができる。
【００１７】
この電気光学装置において、前記電気光学パネルは有機ＥＬ表示パネルである。
これによれば、電気光学装置は広視野角、高コントラストの優れた画像を表示することができる。
【００１８】
本発明における電気光学パネル用駆動装置の駆動方法は、複数の電気光学パネルを駆動するための電気光学パネル用駆動装置の駆動方法であって、前記複数の電気光学パネルのうちいずれかを指定するためのパネルアドレス信号を信号転送制御部に供給するステップと、前記パネルアドレス信号を前記信号転送制御部に供給した後、前記パネルアドレス信号により指定された電気光学パネルを制御する駆動制御部に前記信号転送制御部を介してデータ信号を供給するステップとを含む。
【００１９】
これによれば、電気光学パネル用駆動装置は、パネルアドレス信号により指定された電気光学パネルを駆動する駆動制御部にデータ信号を選択的に供給できる。従って、よりシンプルなシステム構成で、複数の電気光学パネルをそれぞれ駆動できる。
【００２０】
本発明における電気光学パネル用駆動装置の駆動方法は、複数の電気光学パネルを駆動するための電気光学パネル用駆動装置の駆動方法であって、前記複数の電気光学パネルのうちいずれかを指定するためのパネルアドレス信号を、各々が前記複数の電気光学パネルの各々を制御する複数の駆動制御部に供給するステップと、前記複数の駆動制御部のうち、前記パネルアドレス信号により指定された電気光学パネルに対応する駆動制御部に、データ信号を供給するステップとを含む。
【００２１】
これによれば、電気光学パネル用駆動装置は、複数の駆動制御部の各々がデータ信号を受け取る前に受け取るパネルアドレス信号により指定された電気光学パネルを選択的に駆動できる。従って、よりシンプルなシステム構成で、複数の電気光学パネルをそれぞれ駆動できる。
【００２２】
この電気光学パネル用駆動装置の駆動方法において、前記複数の駆動制御部に供給する前記データ信号のプロトコルは全て同じである。
これによれば、さらにシンプルなシステム構成とすることができる。
【００２３】
この電気光学パネル用駆動装置の駆動方法において、前記電気光学パネルは有機ＥＬ表示パネルである。
これによれば、電気光学パネルは広視野角、高コントラストの優れた画像を表示することができる。
【００２４】
本発明における電気光学装置の駆動方法は、電気光学装置に備えられた電気光学パネル、及び、前記電気光学装置に電気的に接続された少なくとも１つの外付の電気光学パネルを駆動するための電気光学装置の駆動方法であって、前記電気光学装置が備えた電気光学パネル及び前記少なくとも１つの外付の電気光学パネルのうちいずれかを指定するためのパネルアドレス信号を信号転送制御部に供給するステップと、前記パネルアドレス信号を前記信号転送制御部に供給した後、前記パネルアドレス信号により指定された電気光学パネルを制御する駆動制御部に前記信号転送制御部を介してデータ信号を供給するステップとを含む。
【００２５】
これによれば、電気光学装置は、電気光学装置に備えられた電気光学パネル及び少なくとも１つの外付の電気光学パネルを各々駆動する駆動制御部のうち、パネルアドレス信号により指定された電気光学パネルを駆動する駆動制御部にデータ信号を選択的に供給できる。従って、よりシンプルなシステム構成で、電気光学装置に備えられた電気光学パネル及び少なくとも１つの外付の電気光学パネルをそれぞれ駆動できる。
【００２６】
本発明における電気光学装置の駆動方法は、電気光学装置に備えられた電気光学パネル、及び、前記電気光学装置に電気的に接続された少なくとも１つの外付の電気光学パネルを駆動するための電気光学装置の駆動方法であって、前記電気光学装置が備えた電気光学パネル及び前記少なくとも１つの外付の電気光学パネルのうちいずれかを指定するためのパネルアドレス信号を、各々が前記各電気光学パネルを制御する各駆動制御部に供給するステップと、前記各駆動制御部のうち、前記パネルアドレス信号により指定された電気光学パネルに対応する駆動制御部に、データ信号を供給するステップとを含む。
【００２７】
これによれば、電気光学装置は、電気光学装置に備えられた電気光学パネル及び少なくとも１つの外付の電気光学パネルのうち、各電気光学パネルについての駆動制御部がデータ信号を受け取る前に受け取るパネルアドレス信号により指定された電気光学パネルを選択的に駆動できる。従って、よりシンプルなシステム構成で、電気光学装置に備えられた電気光学パネル及び少なくとも１つの外付の電気光学パネルをそれぞれ駆動できる。
【００２８】
この電気光学装置の駆動方法において、前記複数の駆動制御部に供給する前記データ信号のプロトコルは全て同じである。
これによれば、さらにシンプルなシステム構成とすることができる。
【００２９】
この電気光学装置の駆動方法において、前記電気光学パネルは有機ＥＬ表示パネルである。
これによれば、電気光学パネルは広視野角、高コントラストの優れた画像を表示することができる。
【００３０】
本発明における電子機器は、上記の電気光学パネル用駆動装置を実装した。
これによれば、電子機器は、パネルアドレス信号により指定された電気光学パネルを選択的に駆動できる。従って、電子機器は、よりシンプルなシステム構成で、複数の電気光学パネルをそれぞれ駆動できる。
【００３１】
本発明における電子機器は、上記の電気光学装置を実装した。
これによれば、電子機器は、よりシンプルなシステム構成で、電気光学装置に備えられた電気光学パネル及び少なくとも１つの外付の電気光学パネルをそれぞれ駆動できる。
【００３２】
【発明の実施の形態】
（第１の実施形態）
以下、本発明を具体化した第１の実施形態を図１〜図３に従って説明する。
【００３３】
図１において、携帯電話機１１は、受信回路１２、画像データ転送用コントローラ１３、セレクタ１４、表示コントローラ１５、メインパネル１６及びコネクタ１７を備えている。本実施形態では、携帯電話機１１は、電子機器を構成する。画像データ転送用コントローラ１３は、信号生成部を構成する。セレクタ１４は、信号転送制御部を構成する。表示コントローラ１５は、駆動制御部を構成する。メインパネル１６は、電気光学パネルを構成する。コネクタ１７は、接続部を構成する。そして、本実施形態では、画像データ転送用コントローラ１３、セレクタ１４、表示コントローラ１５及びメインパネル１６とで、電気光学装置を構成する。
【００３４】
前記受信回路１２は、無線網から送信される情報をアンテナにて受信し、その情報のうち画像データを前記画像データ転送用コントローラ１３に出力する。画像データ転送用コントローラ１３は、入力された画像データをシリアル・データＳＤに変換する。
【００３５】
シリアル・データＳＤは、図２（ａ）に示すように、１６ビットの第１データ領域３１と１６ビットの第２データ領域３２からなるフォーマットにて構成され、Ｒ（赤），Ｇ（緑），Ｂ（青）からなるＲＧＢデータに基づいてカラー画像を表示するための画像データとして機能する。シリアル・データＳＤには、ドライバ・コマンド３３、ドライバ・パラメータ３４及びドライバ・データ３５がある。
【００３６】
ドライバ・コマンド３３は、図２（ｂ）に示すように、第１データ領域３１の上位の３ビット（ｂ３１〜ｂ２９）に「０００」が設定されることにより、シリアル・データＳＤがドライバ・コマンド３３であることを示す。そして、シリアル・データＳＤがドライバ・コマンド３３の場合、その第２データ領域３２の下位８ビット（ｂ７〜ｂ０）にコマンドの内容が設定されるようになっている。
【００３７】
ドライバ・パラメータ３４は、図２（ｃ）に示すように、第１データ領域３１の上位の３ビット（ｂ３１〜ｂ２９）に「００１」が設定されることにより、シリアル・データＳＤがドライバ・パラメータ３４であることを示す。そして、シリアル・データＳＤがドライバ・パラメータ３４の場合、その第２データ領域３２の下位８ビット（ｂ７〜ｂ０）に表示条件としてのパラメータの内容が設定されるようになっている。
【００３８】
ドライバ・データ３５は、図２（ｄ）に示すように、第１データ領域３１の上位の３ビット（ｂ３１〜ｂ２９）に「０１０」が設定されることにより、シリアル・データＳＤがドライバ・データ３５であることを示す。そして、シリアル・データＳＤがドライバ・データ３５の場合、その第１データ領域３１の下位８ビット（ｂ２３〜ｂ１６）にＲデータ３６が設定されるようになっている。また、ドライバ・データ３５の第２データ領域３２の上位８ビット（ｂ１５〜ｂ８）には、Ｇデータ３７が設定される。さらに、その第２データ領域３２の下位８ビット（ｂ７〜ｂ０）には、Ｂデータ３８が設定される。なお、これらのＲデータ３６、Ｇデータ３７及びＢデータ３８は、上位６ビットで画像を示し、下位２ビットはダミービットとなっている。
【００３９】
なお、画像データ転送用コントローラ１３によって作成されるシリアル・データＳＤは、後記するメインパネル１６及び外部表示装置２１のサブパネル２４のどちらのパネルを使って画像を表示するかによって、それぞれに対応する最適なシリアル・データＳＤを生成するようになっている。
【００４０】
このように、画像データ転送用コントローラ１３によって、画像データに基づいて作成されたシリアル・データＳＤは、次段のセレクタ１４に出力される。セレクタ１４は、入力されたシリアル・データＳＤの出力先を表示コントローラ１５とコネクタ１７のいずれか一方に出力するための切替回路である。セレクタ１４は、画像データ転送用コントローラ１３からシリアル・データＳＤとともに出力される切替信号ＣＳに基づいて出力先を決定する。本実施形態では、この切替信号ＣＳは、パネルアドレス信号を構成する。具体的には、セレクタ１４には、メインパネル１６及びサブパネル２４のそれぞれに対応したチップが供えられており、前記切替信号ＣＳに基づいて、シリアル・データＳＤの出力先を切り替える。
【００４１】
なお、本実施形態では、携帯電話機１１の操作ボタンにて切替信号ＣＳが発生され、この切替信号ＣＳに基づいてシリアル・データＳＤの出力先を切り替えるようになっている。メインパネル１６に、シリアル・データＳＤを出力する場合には、そのようにボタン操作がなされ、メインパネル１６側のチップを選択するための切替信号ＣＳが出力される。このとき、シリアル・データＳＤにおけるドライバ・パラメータ３４の内容は、メインパネル１６に対応した内容に設定される。一方、後記する外部表示装置２１に、シリアル・データＳＤを出力する場合には、そのようにボタン操作がなされ、サブパネル２４側のチップを選択するための切替信号ＣＳが出力される。このとき、シリアル・データＳＤにおけるドライバ・パラメータ３４の内容は、外部表示装置２１のメインパネル１６に対応した内容に設定される。
【００４２】
表示コントローラ１５は、セレクタ１４を介して入力されたシリアル・データＳＤをパラレル・データＰＤに変換する。パラレル・データＰＤは、１８ビットのデータから構成され、各ビットデータは、図３（ａ）に示すように、対応するドライバ・ピン名「Ｄ１７，Ｄ１６，…，Ｄ１，Ｄ０」を介してパラレル出力される。
【００４３】
シリアル・データＳＤがドライバ・コマンド３３である場合、８ビットのドライバ・コマンド４１に変換される。そして、８ビットのドライバ・コマンド４１は、図３（ｂ）に示すように、その上位ビットから、ドライバ・ピン名「Ｄ１７，Ｄ１６，Ｄ１５，Ｄ１４，Ｄ１３，Ｄ１１，Ｄ１０，Ｄ９」からパラレル出力される。
【００４４】
シリアル・データＳＤがドライバ・パラメータ３４である場合、８ビットのドライバ・パラメータ４２に変換される。そして、８ビットのドライバ・パラメータ４２は、図３（ｃ）に示すように、その上位ビットから、ドライバ・ピン名「Ｄ１７，Ｄ１６，Ｄ１５，Ｄ１４，Ｄ１３，Ｄ１１，Ｄ１０，Ｄ９」からパラレル出力される。
【００４５】
シリアル・データＳＤがドライバ・データ３５である場合、１８ビットのドライバ・データ４３に変換される。そして、１８ビットのドライバ・データ４３は、図３（ｄ）に示すように、全てのドライバ・ピン名「Ｄ１７〜Ｄ０」からパラレル出力される。具体的には、Ｒデータ３６が、その上位ビットから、ドライバ・ピン名「Ｄ１７〜Ｄ１２」からパラレル出力される。また、Ｇデータ３７が、その上位ビットから、ドライバ・ピン名「Ｄ１１〜Ｄ６」からパラレル出力される。Ｂデータ３８が、その上位ビットから、ドライバ・ピン名「Ｄ５〜Ｄ０」からパラレル出力される。
【００４６】
このように、表示コントローラ１５によって、変換されたパラレル・データＰＤはメインパネル１６に出力される。メインパネル１６は、有機ＥＬ表示パネルであって、ドライバを備えている。メインパネル１６は、同ドライバに入力されたパラレル・データＰＤに基づいてパネル１６上にマトリクス状に配置形成された多数の有機ＥＬ素子を適宜発光制御させて画像を表示する。
【００４７】
コネクタ１７は、シリアルＩ／Ｆケーブル２９に接続され、同シリアルＩ／Ｆケーブル２９を介して外部表示装置２１と接続されるようになっている。そして、コネクタ１７は、前記セレクタ１４を介して入力されたシリアル・データＳＤをシリアルＩ／Ｆケーブル２９を介して外部表示装置２１に出力するようになっている。つまり、携帯電話機１１は、同電話機１１で受信した画像データ（シリアル・データＳＤ）を外部表示装置２１に出力することができる。
【００４８】
外部表示装置２１は、コネクタ２２、表示コントローラ２３及びサブパネル２４を備えている。本実施携帯では、表示コントローラ２３は、駆動制御部を構成する。サブパネル２４は、外付の電気光学パネルを構成する。コネクタ２２は、前記シリアルＩ／Ｆケーブル２９を介して携帯電話機１１のコネクタ１７と接続する。そして、コネクタ２２は、前記シリアルＩ／Ｆケーブル２９を介してセレクタ１４から出力されるシリアル・データＳＤを次段の表示コントローラ２３に出力するようになっている。
【００４９】
表示コントローラ２３は、シリアル・データＳＤを前記携帯電話機１１側の表示コントローラ１５と同様にパラレル・データＰＤに変換し、同パラレル・データＰＤをサブパネル２４に出力する。サブパネル２４は、有機ＥＬ表示パネルであって、ドライバを備えている。サブパネル２４は、同ドライバに入力されたパラレル・データＰＤに基づいてパネル２４上にマトリクス状に配置形成された多数の有機ＥＬ素子を適宜発光制御させて画像を表示する。メインパネル１６とサブパネル２４とは、同一画素数・同一サイズ、同一画素数・異なるサイズ、異なる画素数・同一サイズ、異なる画素数・異なるサイズのいずれであってもよい。
【００５０】
なお、携帯電話機１１、シリアルＩ／Ｆケーブル２９及び外部表示装置２１において、シリアル・データＳＤのデータ転送は、ＵＳＢ２．０規格のデータ転送プロトコルによる。従って、表示コントローラ１５及び表示コントローラ２３がそれぞれ受けるシリアル・データＳＤは、ともにＵＳＢ２．０規格のデータ転送プロトコルによる。
【００５１】
次に、上記のように構成された携帯電話機１１の作用について説明する。
無線網から送信される情報を受信すると、受信回路１２は、その情報から画像データを抽出して画像データ転送用コントローラ１３に出力する。画像データ転送用コントローラ１３は、入力された画像データをシリアル・データＳＤに変換する。このとき、画像データ転送用コントローラ１３は、ボタン操作で設定されるメインパネル１６及びサブパネル２４のいずれかへの画像の表示に基づいて対応する表示条件のシリアル・データＳＤを生成する。
【００５２】
前記画像データ転送用コントローラ１３は、この作成したシリアル・データＳＤと出力先を指定する切替信号ＣＳをセレクタ１４に出力する。切替信号ＣＳがメインパネル１６側を指定する場合、その切替信号ＣＳにより、セレクタ１４において、メインパネル１６に対応するチップが選択される。そしてセレクタ１４は、メインパネル１６側の表示コントローラ１５にシリアル・データＳＤを出力する。表示コントローラ１５は、このシリアル・データＳＤをパラレル・データＰＤに変換し、メインパネル１６のドライバに出力する。前記表示コントローラ１５のドライバは、パラレル・データＰＤに基づいてメインパネル１６に画像を表示させる。
【００５３】
一方、切替信号ＣＳがサブパネル２４側を指定する場合、その切替信号ＣＳにより、セレクタ１４において、サブパネル２４に対応するチップが選択される。そしてセレクタ１４は、サブパネル２４側にシリアル・データＳＤを出力する。このシリアル・データＳＤは、コネクタ１７、シリアルＩ／Ｆケーブル２９及びコネクタ２２を介して、表示コントローラ２３に出力される。この表示コントローラ２３は、前記表示コントローラ１５と同様に、シリアル・データＳＤをパラレル・データＰＤに変換し、そのパラレル・データＰＤをサブパネル２４のドライバに出力する。そして、サブパネル２４のドライバは、これを入力すると、サブパネル２４に画像を表示させる。
【００５４】
なお、メインパネル１６とサブパネル２４の両方で画像の表示をボタン操作で設定した場合には、時分割で行う。具体的には、画像データ転送用コントローラ１３は、所定の間隔で切替信号ＣＳを切り替えるとともに、シリアル・データＳＤを出力先に応じたデータを作成し切替信号ＣＳに応答して交互に出力するようになっている。
【００５５】
以上、本実施形態によれば、以下に示す効果を得ることができる。
（１）上記実施形態では、画像データ転送用コントローラ１３にて画像データをシリアル・データＳＤにしてセレクタ１４に出力した。セレクタ１４は、このシリアル・データＳＤを切替信号ＣＳに基づいて、携帯電話機１１側の表示コントローラ１５と、コネクタ１７、シリアルＩ／Ｆケーブル２９及びコネクタ２２を介した外部表示装置２１側の表示コントローラ２３のいずれかに出力する。つまり、携帯電話機１１側の表示コントローラ１５及び外部表示装置２１側の表示コントローラ２３までは、シリアル・データＳＤが入力されるようにした。
【００５６】
従って、携帯電話機１１は、受信した画像データに基づいてメインパネル１６及び外部表示装置２１のサブパネル２４に画像をそれぞれ表示するために、それぞれのインターフェースに対応する２つの転送用コントローラを用意する必要がない。つまり、携帯電話機１１は、外部表示装置２１のサブパネル２４に画像を表示する場合でも単一の画像データ転送用コントローラ１３だけで対応できるようにした。その結果、システム構成を、より簡単なものとすることができる。
【００５７】
（２）上記実施形態では、切替信号ＣＳによってセレクタ１４にて画像データ転送用コントローラ１３からのシリアル・データＳＤの出力先を切り替えるセレクタ１４を設けた。従って、画像データ転送用コントローラ１３の出力ポートは、メインパネル１６側にシリアル・データＳＤを出力するポートと、サブパネル２４側にシリアル・データＳＤを出力するポートをそれぞれ設ける必要がない。その結果、画像データ転送用コントローラ１３の回路規模を小さくすることができる。
【００５８】
（３）上記実施形態では、画像データ転送用コントローラ１３が、メインパネル１６及びサブパネル２４のいずれかに画像を表示するかによって、それぞれに対応する表示条件のシリアル・データＳＤを生成する。
【００５９】
従って、メインパネル１６及びサブパネル２４のそれぞれに特性に応じて、より視認性のよい画像を表示させる表示条件を設定することが可能となる。また、メインパネル１６とサブパネル２４とで、同様の色で画像を表示するように調整することも可能となる。
【００６０】
（４）上記実施形態では、シリアル・データＳＤのデータ転送をＵＳＢ２．０規格のインターフェースにより行う。このため、高速のデータ転送が可能となる。また、汎用インターフェースであるため、携帯電話機１１のコネクタ１７と外部表示装置２１のコネクタ２２との接続に用いるシリアルＩ／Ｆケーブル２９も汎用のものを用いればよく、使いやすい。
【００６１】
（５）上記実施形態では、サブパネル２４は、有機ＥＬ表示パネルである。このため、外部表示装置２１は、薄型、軽量であり、モバイルに適する。また、外部表示装置２１のサブパネル２４を携帯電話機１１のメインパネル１６よりも大型のパネルとすれば、サブパネル２４では、より視認性のよい画像を表示できる。このため、ユーザは、携帯電話機１１のメインパネル１６よりも視認性のよい画像を閲覧できる。
【００６２】
（第２の実施形態）
次に、本発明を具体化した第２の実施形態を図４に従って説明する。
図４において、携帯電話機５１は、受信回路５２、画像データ転送用コントローラ５３、表示コントローラ５４ａ、メインパネル５４、ＵＳＢコントローラ５５及びコネクタ５６を備えている。本実施形態では、携帯電話機５１は、電子機器を構成する。画像データ転送用コントローラ５３は、信号生成部を構成する。表示コントローラ５４ａは、駆動制御部を構成する。メインパネル５４は、電気光学パネルを構成する。コネクタ５６は、接続部を構成する。そして、本実施形態では、画像データ転送用コントローラ５３、メインパネル５４、表示コントローラ５４ａ及びＵＳＢコントローラ５５とで、電気光学装置を構成する。受信回路５２は、無線網から送信される情報を受信し、その情報のうち画像データを前記画像データ転送用コントローラ５３に出力する。画像データ転送用コントローラ５３は、入力された画像データをパラレル・データＰＤに変換し、ＵＳＢコントローラ５５に出力する。なお、この画像データのパラレル・データＰＤのデータ構成は、図３に示す前述のパラレル・データＰＤのデータ構成と同様である。このとき、画像データ転送用コントローラ５３は、メインパネル５４及びサブパネル２４のどちらに画像を表示するかによって、それぞれに対応するパラレル・データＰＤを生成する。
【００６３】
ＵＳＢコントローラ５５は、パラレル・データＰＤをシリアル・データＳＤに変換し、その変換したシリアル・データＳＤをコネクタ５６及び表示コントローラ５４ａに出力する。表示コントローラ５４ａは、ＵＳＢコントローラ５５からのシリアル・データＳＤを入力してパラレル・データＰＤに変換し、メインパネル５４に出力する。メインパネル５４は、有機ＥＬ表示パネルであって、ドライバを備えている。メインパネル５４は、同ドライバに入力されたパラレル・データＰＤに基づいてパネル５４上にマトリクス状に配置形成された多数の有機ＥＬ素子を適宜発光制御させて画像を表示する。
【００６４】
コネクタ５６には、シリアルＩ／Ｆケーブル２９が接続され、同シリアルＩ／Ｆケーブル２９を介して外部表示装置２１と接続されるようになっている。そして、コネクタ５６は、前記ＵＳＢコントローラ５５からのシリアル・データＳＤをシリアルＩ／Ｆケーブル２９を介して外部表示装置２１に出力するようになっている。つまり、携帯電話機５１は、同電話機５１で受信した画像データを外部表示装置２１に出力することができる。
【００６５】
外部表示装置２１は、前記第１の実施形態と同様に、コネクタ２２、表示コントローラ２３及びサブパネル２４を備えている。本実施携帯では、表示コントローラ２３は、駆動制御部を構成する。サブパネル２４は、外付の電気光学パネルを構成する。メインパネル５４とサブパネル２４とは、同一画素数・同一サイズ、同一画素数・異なるサイズ、異なる画素数・同一サイズ、異なる画素数・異なるサイズのいずれであってもよい。
【００６６】
なお、携帯電話機５１、シリアルＩ／Ｆケーブル２９及び外部表示装置２１において、シリアル・データＳＤのデータ転送は、ＵＳＢ２．０規格のデータ転送プロトコルによる。従って、表示コントローラ５４ａ及び表示コントローラ２３がそれぞれ受けるシリアル・データＳＤは、ともにＵＳＢ２．０規格のデータ転送プロトコルによる。
【００６７】
次に、上記のように構成された携帯電話機５１の作用について説明する。
無線網から送信される情報を受信すると、受信回路５２は、その情報から画像データを抽出して画像データ転送用コントローラ５３に出力する。画像データ転送用コントローラ５３は、入力された画像データをパラレル・データＰＤに変換する。一方、表示を行うパネル（メインパネル５４又はサブパネル２４）の選択は、携帯電話機５１のボタン操作で行えるようになっている。ここで、メインパネル５４が選択されている場合、画像データ転送用コントローラ５３は、メインパネル５４側を指定するパネルアドレス信号を生成する。一方、サブパネル２４が選択されている場合、画像データ転送用コントローラ５３は、サブパネル２４側を指定するパネルアドレス信号を生成する。
【００６８】
そして、画像データ転送用コントローラ５３は、パネルアドレス信号とパラレル・データＰＤとをＵＳＢコントローラ５５に出力する。ＵＳＢコントローラ５５は、パネルアドレス信号をシリアル変換し、パラレル・データＰＤをシリアル・データＳＤに変換する。このシリアル・データＳＤのデータ構成は、図２に示す前述のシリアル・データＳＤのデータ構成と同様である。そして、ＵＳＢコントローラ５５は、シリアル変換したパネルアドレス信号とシリアル・データＳＤとを表示コントローラ５４ａ及びコネクタ５６に出力する。
【００６９】
表示コントローラ５４ａは、パネルアドレス信号に基づいて、メインパネル５４への出力を行うかどうかを判断する。パネルアドレス信号がメインパネル５４側を指定している場合、表示コントローラ５４ａは、入力されたシリアル・データＳＤをパラレル・データＰＤに変換してメインパネル５４に出力する。そして、メインパネル５４のドライバは、パラレル・データＰＤに基づいてメインパネル５４に画像を表示させる。
【００７０】
一方、コネクタ５６に出力されたパネルアドレス信号とシリアル・データＳＤとは、シリアルＩ／Ｆケーブル２９及びコネクタ２２を介して表示コントローラ２３に出力される。入力されたパネルアドレス信号がサブパネル２４を指定している場合、表示コントローラ２３は、入力されたシリアル・データＳＤをパラレル・データＰＤに変換してサブパネル２４に出力する。そして、サブパネル２４のドライバは、パラレル・データＰＤに基づいてサブパネル２４に画像を表示させる。
【００７１】
なお、メインパネル５４とサブパネル２４の両方で画像の表示をボタン操作で設定した場合、各パネルで異なる画像を表示する場合には、画像データ転送用コントローラ５３は、データの変換、出力を時分割で行う。
【００７２】
以上、本実施形態によれば、前記第１の実施形態の（４），（５）の効果に加えて、以下に示す効果を得ることができる。
（６）上記実施形態では、画像データ転送用コントローラ５３から出力されたパラレル・データＰＤをＵＳＢコントローラ５５がシリアル・データＳＤに変換して、表示コントローラ５４ａ及びコネクタ５６に出力する。そして、表示コントローラ５４ａ，２３は、パネルアドレス信号に基づいて、パネル５４，２４に出力を行うかどうかをそれぞれ判断する。このため、画像データ転送用コントローラ５３及びＵＳＢコントローラ５５を共通とすることができ、システム構成を、より簡単なものとすることができる。
【００７３】
（７）上記実施形態では、メインパネル５４及びサブパネル２４のいずれで画像を表示するかにより、画像データ転送用コントローラ５３が、それぞれに対応するパラレル・データＰＤを生成する。このため、メインパネル５４及びサブパネル２４のそれぞれの特性に応じて、より視認性のよい画像を表示させる表示条件を設定することが可能となる。また、メインパネル５４とサブパネル２４とで、同様の色で画像を表示するように調整することも可能となる。
【００７４】
（第３の実施形態）
次に、本発明を具体化した第３の実施形態を図５に従って説明する。
図５において、携帯電話機６１は、受信回路６２、画像データ転送用コントローラ６３、表示コントローラ６５、メインパネル６６及びコネクタ６７を備えている。本実施形態では、携帯電話機６１は、電子機器を構成する。画像データ転送用コントローラ６３は、信号生成部を構成する。表示コントローラ６５は、駆動制御部を構成する。メインパネル６６は、電気光学パネルを構成する。コネクタ６７は、接続部を構成する。そして、本実施形態では、画像データ転送用コントローラ６３、表示コントローラ６５及びメインパネル６６とで、電気光学装置を構成する。つまり、本実施形態の携帯電話機６１は、上記第１の実施形態におけるセレクタ１４に対応する構成が省かれた構成となっている。なお、メインパネル６６とサブパネル２４とは、同一画素数・同一サイズ、同一画素数・異なるサイズ、異なる画素数・同一サイズ、異なる画素数・異なるサイズのいずれであってもよい。
【００７５】
次に、上記のように構成された携帯電話機６１の作用について説明する。なお、ここでは、上記第１の実施形態と異なる部分についてのみ説明する。
本実施形態では、画像データ転送用コントローラ６３は、入力された画像データをシリアル・データＳＤに変換し、表示コントローラ６５への出力に先だって、図６に示すパネル選択用データを出力する。本実施形態では、このパネル選択用データは、パネルアドレス信号を構成する。なお、第１の実施形態の場合に出力した切替信号ＣＳは出力しない。
【００７６】
次に、図６を用いてパネル選択用データについて説明する。パネル選択用データは、シリアル・データＳＤであって、図６（ａ），（ｂ）に示すように、上位の３ビット（ｂ３１〜ｂ２９）に「１１１」が設定される。そして、図６（ａ）に示すように、その次の５ビット（ｂ２８〜ｂ２４）に「０００００」を設定することで、表示コントローラ６５がパラレル・データＰＤをメインパネル６６側に出力することを指定する。一方、図６（ｂ）に示すように、その５ビット（ｂ２８〜ｂ２４）に「１１１１１」を設定すると、表示コントローラ６５がパラレル・データＰＤをメインパネル６６側に出力しないことを指定する。この場合、外部表示装置２１の表示コントローラ２３がパラレル・データＰＤをサブパネル２４側に出力する。ここで、複数の外部表示装置２１が接続されている場合、その次の８ビット（ｂ２３〜ｂ１６）を用いて転送先のサブパネル２４を選択する。本実施形態では、１つの外部表示装置２１のみを接続している場合であるので、この８ビット（ｂ２３〜ｂ１６）は、転送先の選択のためには用いず、「００００００００」を設定する。
【００７７】
次に、上記のように構成された携帯電話機６１の作用について説明する。
無線網から送信される情報を受信すると、受信回路６２は、その情報から画像データを抽出して画像データ転送用コントローラ６３に出力する。画像データ転送用コントローラ６３は、入力された画像データをシリアル・データＳＤに変換する。このとき、画像データ転送用コントローラ６３は、メインパネル６６及びサブパネル２４のいずれかへの画像の表示に対応する表示条件のシリアル・データＳＤを生成する。ここで、画像データ転送用コントローラ６３は、メインパネル６６又はサブパネル２４のいずれに画像を表示するかを指定するパネル選択用データを生成して表示コントローラ６５とコネクタ６７とに出力する。そして、それに続いて、画像データ転送用コントローラ６３は、入力された画像データに基づいて作成したシリアル・データＳＤを表示コントローラ６５とコネクタ６７とに出力する。コネクタ６７に出力されたパネル選択用データと入力された画像データに基づいて作成したシリアル・データＳＤとは、シリアルＩ／Ｆケーブル２９及びコネクタ２２を介して表示コントローラ２３に出力される。
【００７８】
表示コントローラ６５は、入力されたシリアル・データＳＤの上位３ビット（ｂ３１〜ｂ２９）が「１１１」である場合、その次の５ビット（ｂ２８〜ｂ２４）により、メインパネル６６への出力を行うかどうかを判断する。ここで、その５ビット（ｂ２８〜ｂ２４）が「０００００」である場合、表示コントローラ６５は、そのシリアル・データＳＤに続くシリアル・データＳＤ（コマンド、パラメータ、データ）を、パラレル・データＰＤに変換する。そして、表示コントローラ６５は、そのパラレル・データＰＤをメインパネル６６に出力する。この場合、外部表示装置２１の表示コントローラ２３は、このシリアル・データＳＤをパラレル・データＰＤに変換してサブパネル２４に出力することはない。
【００７９】
一方、その５ビット（ｂ２８〜ｂ２４）が「１１１１１」である場合、表示コントローラ６５は、このシリアル・データＳＤをパラレル・データＰＤに変換してメインパネル６６に出力することはない。この場合、外部表示装置２１の表示コントローラ２３は、シリアルＩ／Ｆケーブル２９及びコネクタ２２を介して入力されたシリアル・データＳＤをパラレル・データＰＤに変換してサブパネル２４に出力する。
【００８０】
以上、本実施形態によれば、前記第１の実施形態の（１），（３）〜（５）の効果に加えて、以下に示す効果を得ることができる。
（８）上記実施形態では、画像データ転送用コントローラ６３は、パネル選択用データを出力する。そして、表示コントローラ６５は、このパネル選択用データに従って、パラレル・データＰＤをメインパネル６６側に出力するかどうかを選択する。このため、セレクタを必要せず、システム構成を、より簡単なものとすることができる。
【００８１】
（第４の実施形態）
次に、本発明を具体化した第４の実施形態を図７に従って説明する。
図７において、携帯電話機７１は、受信回路７２、画像データ転送用コントローラ７３、セレクタ７４、表示コントローラ７５、メインパネル７６及び複数のコネクタ７７を備えている。本実施形態では、携帯電話機７１は、電子機器を構成する。画像データ転送用コントローラ７３は、信号生成部を構成する。セレクタ７４は、信号転送制御部を構成する。表示コントローラ７５は、駆動制御部を構成する。メインパネル７６は、電気光学パネルを構成する。コネクタ７７は、接続部を構成する。そして、本実施形態では、画像データ転送用コントローラ７３、セレクタ７４、表示コントローラ７５及びメインパネル７６とで、電気光学装置を構成する。つまり、本実施形態の携帯電話機７１は、複数のコネクタ７７が備えられている点が、１つのコネクタ１７が備えられている上記第１の実施形態の携帯電話機１１の構成と異なる。
【００８２】
各コネクタ７７は、それぞれ、外部表示装置２１のコネクタ２２に接続されている。各外部表示装置２１は、上記第１の実施形態の場合と同様の構成となっている。なお、メインパネル７６とサブパネル２４とは、同一画素数・同一サイズ、同一画素数・異なるサイズ、異なる画素数・同一サイズ、異なる画素数・異なるサイズのいずれであってもよい。
【００８３】
次に、上記のように構成された携帯電話機７１の作用について説明する。なお、ここでは、上記第１の実施形態と異なる部分についてのみ説明する。
本実施形態では、画像データ転送用コントローラ７３は、シリアル・データＳＤと出力先を指定する切替信号ＣＳとを出力する。本実施形態では、この切替信号ＣＳは、パネルアドレス信号を構成する。本実施形態では、この切替信号ＣＳは、メインパネル７６側、各サブパネル２４側のいずれに出力するかを指定する。そして、この切替信号ＣＳに基づいて、セレクタ７４は、シリアル・データＳＤの出力先を振り分ける。具体的には、セレクタ７４には、メインパネル７６側及び各サブパネル２４側の各出力先に対応したチップが供えられており、切替信号ＣＳに基づいて、シリアル・データＳＤの出力先を切り替える。例えば、切替信号ＣＳがメインパネル７６側を指定する場合、その切替信号ＣＳにより、セレクタ７４において、メインパネル７６に対応するチップが選択される。そしてセレクタ７４は、メインパネル７６側の表示コントローラ７５にシリアル・データＳＤを出力する。一方、切替信号ＣＳがいずれかのサブパネル２４側を指定する場合、その切替信号ＣＳにより、セレクタ７４において、そのサブパネル２４に対応するチップが選択される。そしてセレクタ７４は、そのサブパネル２４側にシリアル・データＳＤを出力する。このシリアル・データＳＤは、コネクタ７７、シリアルＩ／Ｆケーブル及びコネクタ２２を介して、切替信号ＣＳにて選択されたサブパネル２４の表示コントローラ２３に出力される。なお、携帯電話機７１及び外部表示装置２１は、シリアル・データＳＤを出力しない側のパネル７６，２４及び表示コントローラ７５，２３の電源をスリープモードにする。
【００８４】
以上、本実施形態によれば、前記第１の実施形態の（１）〜（５）に加えて、以下に示す効果を得ることができる。
（９）上記実施形態では、画像データ転送用コントローラ７３は、メインパネル７６側、いずれかのサブパネル２４側のいずれにシリアル・データＳＤを出力するかを指定する切替信号ＣＳを出力する。そして、セレクタ７４は、その切替信号ＣＳに基づいて、シリアル・データＳＤの出力先を振り分ける。このため、複数のサブパネル２４に画像を表示させることができる。
【００８５】
（１０）上記実施形態では、シリアル・データＳＤを出力しない側のパネル７６，２４及び表示コントローラ７５，２３の電源をスリープモードにする。このため、省電力化が可能となる。
【００８６】
（第５の実施形態）
次に、本発明を具体化した第５の実施形態を図８〜図１１を用いて説明する。本実施形態では、図１０に示すように、携帯電話機９１と、タイルパネルモジュール１００とを用いる。このタイルパネルモジュール１００は、表示パネル１０１を備えている。
【００８７】
このタイルパネルモジュール１００は、図１１に示すように、制御基板１０２上に、複数（本実施形態では、９個）のタイルパネル１０３１〜１０３９がマトリックス状に配置された構成となっている。このタイルパネル１０３１〜１０３９が表示パネル１０１を構成する。そして、このタイルパネル１０３１〜１０３９の周囲には、ドライバ１０４１〜１０４９及びスキャンドライバ１０５１〜１０５３が配置されている。また、制御基板１０２上には、電源コネクタ１０６、コネクタ１０７及び表示コントローラ１０８が配置されている。
【００８８】
図８において、携帯電話機９１は、受信回路９２、画像データ転送用コントローラ９３、表示コントローラ９５、メインパネルモジュール９６及びコネクタ９７を備えている。メインパネルモジュール９６は、ドライバ９８及びメインパネル９９を備えている。本実施形態では、携帯電話機９１は、電子機器を構成する。画像データ転送用コントローラ９３は、信号生成部を構成する。表示コントローラ９５は、駆動制御部を構成する。メインパネル９９は、電気光学パネルを構成する。コネクタ９７は、接続部を構成する。そして、本実施形態では、画像データ転送用コントローラ９３、表示コントローラ９５及びメインパネルモジュール９６とで、電気光学装置を構成する。
【００８９】
タイルパネルモジュール１００は、コネクタ１０７、表示コントローラ１０８、及び、単位モジュール１０６１〜１０６９を備えている。本実施形態では、表示コントローラ１０８は、駆動制御部を構成する。各単位モジュール１０６１〜１０６９は、ドライバ１０４１〜１０４９、タイルパネル１０３１〜１０３９をそれぞれ備えている。本実施形態では、タイルパネル１０３１〜１０３９は、外付の電気光学パネルを構成する。各単位モジュール１０６１〜１０６９は、メインパネルモジュール９６と同様の仕様となっている。そして、携帯電話機９１とタイルパネルモジュール１００とは、シリアルＩ／Ｆケーブル１０９を介して接続されている。
【００９０】
次に、上記のように構成された携帯電話機９１及びタイルパネルモジュール１００の作用について説明する。
無線網から送信される情報を受信すると、受信回路９２は、その情報から画像データを抽出して画像データ転送用コントローラ９３に出力する。画像データ転送用コントローラ９３は、入力された画像データをシリアル・データＳＤに変換する。このとき、画像データ転送用コントローラ９３は、メインパネルモジュール９６及びタイルパネルモジュール１００のいずれかへの画像の表示に対応する表示条件のシリアル・データＳＤを生成する。ここで、画像データ転送用コントローラ９３は、図６を用いて説明したパネル選択用データを生成する。本実施形態では、このパネル選択用データは、パネルアドレス信号を構成する。ここで、タイルパネルモジュール１００で表示を行う場合、このパネル選択用データにて、画像を表示するタイルパネル１０３１〜１０３９のいずれかを指定する。つまり、図６（ａ）に示すように上位３ビット（ｂ３１〜ｂ２９）に「１１１」を設定し、その次の５ビット（ｂ２８〜ｂ２４）に「１１１１１」を設定したパネル選択用データに転送先を設定する。具体的には、そのパネル選択用データのその次の８ビット（ｂ２３〜ｂ１６）に転送先の単位モジュール１０６１〜１０６９の選択を設定する。そして、画像データ転送用コントローラ９３は、このパネル選択用データと、入力された画像データに基づいて作成したシリアル・データＳＤとを表示コントローラ９５に出力する。
【００９１】
ここで、タイルパネルモジュール１００の表示パネル１０１で表示を行う場合に、画像データ転送用コントローラ９３が出力するシリアル・データＳＤについて図９を用いて説明する。図９に示すように、画像データ転送用コントローラ９３は、受信回路９２を介して入力されたフレーム同期信号ＦＳＳに同期させてタイルパネル１０３１で表示を行うためのシリアル・データＳＤ（Ｄ１）を生成し、出力する。そして、画像データ転送用コントローラ９３は、表示パネル１０１を構成するタイルパネル１０３１〜１０３９でそれぞれ表示を行うためのシリアル・データＳＤ（Ｄ１〜Ｄ９）を順次出力する。ここで、各シリアル・データＳＤ（Ｄ１〜Ｄ９）は、パネル選択用データ１１１、ドライバ・コマンド又はドライバ・パラメータ１１２、ドライバ・データ１１３の順番で出力される。
【００９２】
表示コントローラ９５は、入力されたシリアル・データＳＤの上位３ビット（ｂ３１〜ｂ２９）が「１１１」である場合、その次の５ビット（ｂ２８〜ｂ２４）を調べる。ここで、その５ビット（ｂ２８〜ｂ２４）が「０００００」である場合、表示コントローラ９５は、そのシリアル・データＳＤに続くシリアル・データＳＤ（コマンド、パラメータ、データ）をパラレル・データＰＤに変換する。そして、表示コントローラ９５は、そのパラレル・データＰＤをメインパネルモジュール９６に出力する。一方、その５ビット（ｂ２８〜ｂ２４）が「１１１１１」である場合、表示コントローラ９５は、パラレル・データＰＤをメインパネルモジュール９６に出力しない。
【００９３】
一方、これらのシリアル・データＳＤは、シリアルＩ／Ｆケーブル２９及びコネクタ１０７を介して表示コントローラ１０８に出力される。表示コントローラ１０８は、シリアル・データＳＤの上位３ビット（ｂ３１〜ｂ２９）が「１１１」である場合、その次の５ビット（ｂ２８〜ｂ２４）を調べる。ここで、その５ビット（ｂ２８〜ｂ２４）が「１１１１１」である場合、その次の８ビット（ｂ２８〜ｂ１６）に設定された値に基づいて、出力先の単位モジュール１０６１〜１０６９を選択する。さらに、表示コントローラ１０８は、それに続くシリアル・データＳＤをパラレル・データＰＤに変換し、そのパラレル・データＰＤを選択された単位モジュール１０６１〜１０６９のドライバ１０４１〜１０４９に出力する。ドライバ１０４１〜１０４９は、これを入力すると、それぞれタイルパネル１０３１〜１０３９に画像を表示させる。
【００９４】
なお、表示コントローラ９５及び表示コントローラ１０８はまとめて構成することもできる。この場合は、画像データは、画像転送用コントローラ９３から当該まとめられた表示コントローラを介して表示コントローラ９５及びコネクタ９７に供給される。もちろん、この時の画像データはパラレルデータであってもシリアルデータであってもよい。
【００９５】
以上、本実施形態によれば、前記第１の実施形態の（１），（３）〜（５）に加えて、以下に示す効果を得ることができる。
（１１）上記実施形態では、複数（９個）のタイルパネル１０３１を有するタイルパネルモジュール１００に画像を表示させる。このため、より大きな画面で、精密な画像を表示させることができる。
【００９６】
（１２）上記実施形態では、メインパネル９９とタイルパネル１０３１〜１０３９との画素数及びドライバ（ドライバ９８、ドライバ１０４１〜１０４９）の仕様を同一としている。このため、画像データ転送用コントローラ９３及び表示コントローラ１５，１０８の演算を共通化でき、シンプルな回路とすることができる。
【００９７】
（１３）上記実施形態では、画像データ転送用コントローラ９３は、表示パネル１０１で画像を表示させる場合、各単位モジュール１０６１〜１０６９用のシリアル・データＳＤ（Ｄ１〜Ｄ９）を順次出力する。このシリアル・データＳＤ（Ｄ１〜Ｄ９）のパネル選択用データには、それぞれ、単位モジュール１０６１〜１０６９の選択のための値が設定されている。そして、表示コントローラ１０８は、それに基づいて、各単位モジュール１０６１〜１０６９側にパラレル・データＰＤを出力する。このため、携帯電話機９１とタイルパネルモジュール１００とのインターフェースをシンプルな構成にすることができる。
【００９８】
（第６の実施形態）
次に、本発明を具体化した第６の実施形態を図１２に従って説明する。
図１２において、携帯電話機１２１は、受信回路１２２、画像データ転送用コントローラ１２３、ＵＳＢコントローラ１２８、表示コントローラ１２５、メインパネル１２６及びコネクタ１２７を備えている。本実施形態では、携帯電話機１２１は、電子機器を構成する。画像データ転送用コントローラ１２３は、信号生成部を構成する。表示コントローラ１２５は、駆動制御部を構成する。メインパネル１２６は、電気光学パネルを構成する。コネクタ１２７は、接続部を構成する。そして、本実施形態では、画像データ転送用コントローラ１２３、ＵＳＢコントローラ１２８、表示コントローラ１２５及びメインパネル１２６とで、電気光学装置を構成する。つまり、本実施形態の携帯電話機１２１は、上記第３の実施形態の構成に、ＵＳＢコントローラ１２８を付加した構成となっている。なお、メインパネル１２６とサブパネル２４とは、同一画素数・同一サイズ、同一画素数・異なるサイズ、異なる画素数・同一サイズ、異なる画素数・異なるサイズのいずれであってもよい。
【００９９】
次に、上記のように構成された携帯電話機１２１の作用について説明する。なお、ここでは、上記第３の実施形態と異なる部分についてのみ説明する。本実施形態では、画像データ転送用コントローラ１２３は、ＵＳＢ２．０規格のシリアル・データＳＤとは異なるデータ形式のデータを出力する。画像データ転送用コントローラ１２３は、このデータにおいて、上述の第３の実施形態の場合と同様に、パネルアドレス信号を付加する。ＵＳＢコントローラ１２８は、このデータを入力して、ＵＳＢ２．０規格のシリアル・データＳＤに変換し、パネルアドレス信号によって選択される出力ポートからシリアル・データＳＤを出力する。
【０１００】
以上、本実施形態によれば、前記第１の実施形態の（１），（３）〜（５）の効果に加えて、以下に示す効果を得ることができる。
（１４）上記実施形態では、ＵＳＢコントローラ１２８が画像データ転送用コントローラ１２３が出力したデータを入力してＵＳＢ２．０規格のシリアル・データＳＤに変換する。このため、画像データ転送用コントローラ１２３が出力するデータがＵＳＢ２．０規格のシリアル・データＳＤでなくても、表示コントローラ１２５及び表示コントローラ２３にＵＳＢ２．０規格のシリアル・データＳＤをインターフェースできる。
【０１０１】
なお、上記実施形態は以下のように変更してもよい。
上記第１の実施形態では、セレクタ１４を画像データ転送用コントローラ１３とは別に設け、画像データ転送用コントローラ１３の出力ポートは、メインパネル１６側とサブパネル２４側とで兼用した。これに代えて、画像データ転送用コントローラ１３において出力ポートを兼用せず、出力先毎に出力ポートを設けてもよい。
【０１０２】
上記第１の実施形態では、メインパネル１６及びサブパネル２４の両方で同時に画像の表示を行うことができるようにした。そしてシリアル・データＳＤの、画像データ転送用コントローラ１３からの出力、及び、セレクタ１４による出力先の切替は、時分割で行った。これに代えて、メインパネル１６及びサブパネル２４の両方で同時に画像の表示を行う場合の画像データ転送用コントローラ１３及びセレクタ１４からのシリアル・データＳＤの出力先の切替は、他のタイミングで行ってもよい。また、サブパネル２４で画像の表示を行う場合には、メインパネル１６では画像の表示を行わないようにしてもよい。
【０１０３】
上記第２の実施形態では、画像データ転送用コントローラ５３に、メインパネル５４側及びサブパネル２４側それぞれについて出力ポートを設け、画像データ転送用コントローラ５３において出力先の振り分けを行った。これに代えて、画像データ転送用コントローラ５３とは別に、出力先を切り替えるセレクタを設け、画像データ転送用コントローラ５３が切替信号ＣＳをそのセレクタに出力して、セレクタにより出力先の切替を行ってもよい。また、パラレル・データＰＤに出力先の宛先を付加し、その宛先がメインパネル５４側でない場合、メインパネル５４からＵＳＢコントローラ５５にそのパラレル・データＰＤが転送されるようにしてもよい。このようにすることで、メインパネル５４側とサブパネル２４側とで画像データ転送用コントローラ５３の出力ポートを兼用できる。
【０１０４】
上記第５の実施形態では、表示コントローラ１０８に、各単位モジュール１０６１〜１０６９側それぞれについて出力ポートを設け、表示コントローラ１０８において出力先の振り分けを行った。これに代えて、表示コントローラ１０８とは別に、出力先を切り替えるセレクタを設け、表示コントローラ１０８が切替信号ＣＳをそのセレクタに出力して、セレクタにより出力先の切替を行ってもよい。また、パラレル・データＰＤに出力先の宛先を付加し、その宛先の単位モジュール１０６１〜１０６９まで、そのパラレル・データＰＤが転送されるようにしてもよい。このようにすることで、各単位モジュール１０６１〜１０６９側に出力するパラレル・データＰＤについての表示コントローラ１０８の出力ポートを兼用できる。
【０１０５】
上記第１〜第６の実施形態では、メインパネルの表示コントローラとサブパネル、タイルパネルの各表示コントローラが受けるシリアル・データＳＤのデータ通信プロトコルは、ＵＳＢ２．０規格とした。各表示パネルの表示コントローラが受けるデータのデータ通信プロトコルは、これに限られるものではなく、各表示パネルで共通であれば、他のデータ通信プロトコル（例えば、ＩＥＥＥ１３９４，ＲＳ２３２Ｃ等）を用いてもよい。
【０１０６】
上記第１〜第６の実施形態では、有機ＥＬ表示パネルであるメインパネル１６，５４，６６，７６，９９，１２６及びサブパネル２４、タイルパネル１０３１〜１０３９に画像を表示させた。これに代えて、メインパネル又はサブパネルを液晶表示パネルで実施してもよい。また、スクリーン等に画像を投射する場合に本実施形態を具体化してもよい。
【０１０７】
上記第１〜第６の実施形態では、メインパネル１６，５４，６６，７６，９９，１２６及びサブパネル２４、タイルパネル１０３１〜１０３９は、パラレル・データＰＤを供給されて画像を表示した。これに代えて、メインパネル、サブパネル、タイルパネルは、それぞれシリアル・データＳＤを供給されて画像を表示するものであってもよい。
【０１０８】
上記第６の実施形態では、ＵＳＢコントローラ１２８が入力されたデータをＵＳＢ２．０規格のシリアル・データＳＤに変換し、パネルアドレス信号により各パネル１２６，２４にそれぞれ対応する出力ポートから出力した。これに代えて、ＵＳＢコントローラ１２８は、同一の出力ポートからパネルアドレス信号を付加したシリアル・データＳＤを出力してもよい。
【０１０９】
上記第１〜第４，第６の実施形態では、携帯電話機１１，５１，６１，７１，１２１に外部表示装置２１を接続して、外部表示装置２１のサブパネル２４で画像を表示した。また、上記第５の実施形態では、携帯電話機９１にタイルパネルモジュール１００を接続して、タイルパネルモジュール１００のタイルパネル１０３１〜１０３９で画像を表示した。これらの携帯電話機に代えて、ＰＤＡやパーソナルコンピュータ（以下、パソコン）で画像データを受信してもよい。そして、それに基づいて、そのＰＤＡやパソコンに接続された外部表示装置２１やタイルパネルモジュール１００のサブパネル２４やタイルパネル１０３１〜１０３９で画像を表示してもよい。例えば、ＴＶチューナ内蔵のパソコンに外部表示装置２１を接続して、外部表示装置２１のサブパネル２４でテレビジョン（以下、ＴＶ）の映像を表示させてもよい。このようにすることで、ユーザがＴＶを視聴しながらパソコンの作業を行うような場合に、パソコンのＯＳにより表示されるウィンドウをその都度切り替えなくても、ユーザはＴＶを視聴しながらパソコンで作業を行うことができる。
【０１１０】
上記第１〜第６の実施形態では、受信回路１２，５２，６２，７２，９２，１２２により受信したデータに基づいて画像を表示した。これに代えて、情報処理装置に予め記憶されたデータに基づいて画像を表示してもよい。
【０１１１】
上記第１〜第６の実施形態では、メインパネルを備えた携帯電話機がメインパネルとサブパネル又はタイルパネルを駆動して画像を表示させた。これに代えて、それ自体は表示パネルを備えていない電気光学パネル用駆動装置が、それに接続された複数の表示パネルを駆動して画像を表示させてもよい。
【図面の簡単な説明】
【図１】第１の実施形態の携帯電話機及び外部表示装置の構成を示すブロック図。
【図２】（ａ），（ｂ），（ｃ），（ｄ）とも、シリアル・データのデータ構成を説明するための説明図。
【図３】（ａ），（ｂ），（ｃ），（ｄ）とも、パラレル・データのデータ構成を説明するための説明図。
【図４】第２の実施形態の携帯電話機及び外部表示装置の構成を示すブロック図。
【図５】第３の実施形態の携帯電話機及び外部表示装置の構成を示すブロック図。
【図６】（ａ），（ｂ）とも、シリアル・データのデータ構成を説明するための説明図。
【図７】第４の実施形態の携帯電話機及び外部表示装置の構成を示すブロック図。
【図８】第５の実施形態の携帯電話機及びタイルモジュールの構成を示すブロック図。
【図９】画像データ転送用コントローラが出力するシリアル・データを説明するためのタイミングチャート。
【図１０】第５の実施形態の携帯電話機及びタイルモジュールの説明図。
【図１１】第５の実施形態のタイルモジュールの斜視図。
【図１２】第６の実施形態の携帯電話機及び外部表示装置の構成を示すブロック図。
【符号の説明】
ＣＳ…パネルアドレス信号としての切替信号、１１，５１，６１，７１，９１…電子機器としての携帯電話機、１３，５３，６３，７３，９３…信号生成部としての画像データ転送用コントローラ、１４，７３…信号転送制御部としてのセレクタ、１５，６５，７５，９５…駆動制御部としての表示コントローラ、１６，５４，６６，７６，９９…電気光学パネルとしてのメインパネル、１７，５６，６７，７７，９７…接続部としてのコネクタ、２３…駆動制御部としての表示コントローラ、２４…電気光学パネルとしてのサブパネル、１０３１〜１０３９…電気光学パネルとしてのタイルパネル。
【図１】
2004325747.tif 000003
【図２】
2004325747.tif 000004
【図３】
2004325747.tif 000005
【図４】
2004325747.tif 000006
【図５】
2004325747.tif 000007
【図６】
2004325747.tif 000008
【図７】
2004325747.tif 000009
【図８】
2004325747.tif 000010
【図９】
2004325747.tif 000011
【図１０】
2004325747.tif 000012
【図１１】
2004325747.tif 000013
【図１２】
2004325747.tif 000014